(57)【要約】【課題】歯槽骨の埋入窩に埋入部をセルフタッピングで螺入する際に要する回転トルクを40Ｎcm未満に低減し得る歯科用インプラントの埋入方法を提供する。【解決手段】本実施形態のインプラント１０のフィクスチャー１１の埋入方法によると、フィクスチャー１１のタッピンねじ１２にオレイン酸を含有するオリーブオイル等の潤滑剤３０が塗布された後、フィクスチャー１１が歯槽骨の埋入窩にセルフタッピングで螺入される。これにより、埋入窩の内周壁とフィクスチャー１１のタッピンねじ１２のねじ山１２ａやねじ溝１２ｂとの間に潤滑剤３０が介在するため、両者間に生じ得る摩擦抵抗をこのような潤滑剤３０が小さくする。したがって、フィクスチャー１１に潤滑剤３０が塗布されない場合に比べて、フィクスチャー１１の埋入トルクを40Ｎcm未満に低減させることが可能になる。【選択図】図１
2019146747.tif 000002
【特許請求の範囲】
【請求項１】
歯槽骨の埋入窩にセルフタッピングで螺入される埋入部を有する歯科用インプラントの埋入方法であって、
前記埋入部のタッピンねじに潤滑剤が塗布された後、または前記埋入窩に前記潤滑剤が注入された後、前記埋入部が前記埋入窩にセルフタッピングで螺入されることを特徴とする歯科用インプラントの埋入方法。
【請求項２】
前記潤滑剤は、オレイン酸含有オイルであることを特徴とする請求項１に記載の歯科用インプラントの埋入方法。
【請求項３】
前記潤滑剤は、ジグリセリンを主成分とするジェル状組成物であることを特徴とする請求項１に記載の歯科用インプラントの埋入方法。
【発明の詳細な説明】
【技術分野】
【０００１】
本発明は、歯槽骨の埋入窩に埋入部がセルフタッピングで螺入される歯科用インプラントの埋入方法に関するものである。
【背景技術】
【０００２】
歯槽骨の埋入窩にセルフタッピングで螺入される歯科用インプラントとして、例えば、下記特許文献１に開示されている「歯科用セルフタッピング式スクリュー型インプラントフィクスチャー」がある。この種のインプラントは、図４に示すように、典型的には３つのパーツにより構成されている。フィクスチャー９１、アバットメント９５および人工歯冠９７である。フィクスチャー９１はチタン製であり、その基端９１ｂが歯槽骨２の固有歯槽骨の表面とほぼ同程度に位置するまで埋入窩７にセルフタップで埋入される。そのため、インプラント９０のフィクスチャー９１には、その先端９１ａに向けて先細り形状になるタッピンねじ９２が形成されている。
【０００３】
セルフタッピングでは、タッピンねじ（雄ねじ）がねじ込まれることによりそれが自ら雌ねじを切って相手部材に螺合する。そのため、フィクスチャー９１の埋入時、即ちタッピンねじ９２が埋入窩７の内周壁７ａに雌ねじを形成しながら歯槽骨２に螺合する際には、フィクスチャー９１に相当量の回転トルクを加える必要がある。なお、図４において符号９は、歯肉または歯茎を指し示している。
【先行技術文献】
【特許文献】
【０００４】
【特許文献１】特開２００２−３５０１２号公報（段落００１０〜００１２）
【特許文献２】特開２０１５−１８８４８１号公報（段落０００４）
【発明の概要】
【発明が解決しようとする課題】
【０００５】
しかしながら、特許文献１に開示されているように、フィクスチャーには、骨に対する接触面積を増加させる目的でタッピンねじの表面に粗面加工が施される場合がある。タッピンねじの表面が粗くなると、表面積が増えるとともに埋入窩の内周壁に対する摩擦抵抗も増加する。また、タッピンねじに形成されている切り刃の表面も粗面になり得ることから、タッピンねじの切削性能が低下する。そのため、このような粗面加工がタッピンねじに及ぶ場合には、フィクスチャーの埋入時に要する回転トルクの増加を招く。以下、フィクスチャー等を歯槽骨の埋入窩にセルフタッピングで螺入する際に要する回転トルクのことを単に「埋入トルク」という場合がある。
【０００６】
ところで、チタン製のフィクスチャーの埋入トルクは、上記特許文献２に開示されているように、通常、20Ｎcm〜30Ｎcmになるが、個人差等により100Ｎcm〜150Ｎcmになり得る。近年の研究により、40Ｎcm以上の埋入トルクは、初期段階のオッセオインテグレーションの確立に対しては逆効果になり得る点が指摘されている。オッセオインテグレーションは、チタンと骨が光学顕微鏡のレベルで直接的に一体化した状態になることである。
【０００７】
つまり、フィクスチャーが40Ｎcm以上のトルクで歯槽骨に埋入された場合には、フィクスチャーに吸収される辺縁骨が増加する可能性があることから、オッセオインテグレーションの獲得が難しくなり得る。したがって、フィクスチャーの埋入トルクは、初期段階のオッセオインテグレーションの確立においては40Ｎcm未満に抑えることが望ましい。
【０００８】
本発明は、上述した課題を解決するためになされたものであり、歯槽骨の埋入窩に埋入部をセルフタッピングで螺入する際に要する回転トルク（埋入トルク）を40Ｎcm未満に低減し得る歯科用インプラントの埋入方法を提供することを目的とする。
【課題を解決するための手段】
【０００９】
上記目的を達成するため、特許請求の範囲に記載された請求項１の技術的手段を採用する。この手段によると、歯科用インプラントの埋入部のタッピンねじに潤滑剤が塗布された後、埋入部が埋入窩にセルフタッピングで螺入される。または、歯槽骨の埋入窩に潤滑剤が注入された後、埋入部が埋入窩にセルフタッピングで螺入される。これにより、埋入窩（の内周壁）と埋入部のタッピンねじ（のねじ山やねじ溝）との間に潤滑剤が介在するため、両者間に生じ得る摩擦抵抗をこのような潤滑剤が小さくする。
【００１０】
また、特許請求の範囲に記載された請求項２の技術的手段を採用する。この手段によると、潤滑剤はオレイン酸含有オイルである。オレイン酸を大量に含むオイルとして、例えば、オリーブオイル、ハイオレイックタイプの紅花オイル、ハイオレイックタイプのヒマワリオイルがある（以下、これらのオイルを単に「オリーブオイル等」ともいう）。これにより、オレイン酸含有オイルは、埋入窩と埋入部のタッピンねじとの間に介在して埋入部の埋入トルクの低減に寄与した後においては、それに含まれるオレイン酸が、骨形成蛋白（ＢＭＰ；Bone Morphogenetic Protein）の骨芽細胞への分化誘導作用を増強させ得る。また、オレイン酸は不飽和脂肪酸であることから、それ自体が酸化され難い。さらに、オレイン酸は高級脂肪酸（炭素元素数が６以上）であることから、オレイン酸含有オイルがオリーブオイル等である場合には、抗菌作用も有する。また、オリーブオイルがエクストラバージンオイルである場合には、ポリフェノールの含有量が他のオイルに比べて多いことから、オレイン酸含有オイルがエクストラバージンオリーブオイルである場合には、抗酸化作用も有する。
【００１１】
さらに、特許請求の範囲に記載された請求項３の技術的手段を採用する。この手段によると、潤滑剤は、ジグリセリンを主成分とするジェル状組成物である。ジェル状組成物は、一般的にオリーブオイル等に比べて粘度が高い。また、ジグリセリンを主成分とするジェル状組成物は、保湿剤として入手が容易である。これにより、タッピンねじに潤滑剤を塗布する場合には、潤滑剤であるジェル状組成物はオリーブオイルに比べてタッピンねじに保持され易く、また垂れ難いため潤滑剤の塗布量も管理し易い。つまり、潤滑剤はその粘度が相当程度に高い方が取り扱い易い。なお、埋入部の埋入トルクの低減度合いは、後述するようにオリーブオイルよりも劣るが、埋入トルクを40Ｎcm未満に低減させ得ることが本願発明者の実験により確認されている。
【発明の効果】
【００１２】
請求項１の発明では、埋入窩（の内周壁）と埋入部のタッピンねじ（のねじ山やねじ溝）との間に潤滑剤が介在するため、両者間に生じ得る摩擦抵抗を潤滑剤が小さくする。したがって、タッピンねじに潤滑剤が塗布されない場合や、埋入窩に潤滑剤が注入されない場合に比べて、埋入部の埋入トルクを40Ｎcm未満に低減させることが可能になる。
【００１３】
請求項２の発明では、潤滑剤であるオレイン酸含有オイルに含まれるオレイン酸が、骨形成蛋白（ＢＭＰ；Bone Morphogenetic Protein）の骨芽細胞への分化誘導作用を増強させ得る。したがって、潤滑剤がオレイン酸含有オイルであることによって、埋入後の初期段階におけるオッセオインテグレーションの確立をより効果的に促進させることができる。オレイン酸含有オイルがオリーブオイル等である場合には抗菌作用も有するため、埋入窩と埋入部の間における細菌の増殖を抑制することができる。オレイン酸含有オイルがエクストラバージンオリーブオイルである場合には、抗酸化作用を有するポリフェノールを多量に含有する。そのため、酸化ストレスによる骨芽細胞や骨形成細胞等の細胞傷害を軽減することが可能になるので、埋入後の初期段階のオッセオインテグレーションの確立をさらに効果的に促進させることができる。
【００１４】
請求項３の発明では、タッピンねじに潤滑剤を塗布する場合には、潤滑剤であるジェル状組成物は、例えばオイルに比べてタッピンねじに保持され易く、また垂れ難いため潤滑剤の塗布量も管理し易い。また、ジグリセリンを主成分とするジェル状組成物の場合、タッピンねじの埋入トルクの低減度合いは、後述するようにオレイン酸含有オイルの一例であるオリーブオイルよりも劣るが、埋入トルクを40Ｎcm未満に低減させ得ることが本願発明者の実験により確認されている。したがって、入手も取り扱いも容易な保湿ジェルを潤滑剤に用いてもよい。
【図面の簡単な説明】
【００１５】
【図１】歯科用インプラントの構成例を示す説明図である。
【図２】ボーンフェイクブロックに形成される埋入窩の例を示す説明図である。
【図３】実験で計測したフィクスチャーの埋入状態のイメージを示す説明図である。
【図４】歯科用インプラントの構成例を歯槽骨の埋入窩に埋入された状態において示す説明図である。
【発明を実施するための形態】
【００１６】
以下、本発明に係る歯科用インプラントの埋入方法の実施形態について、図を参照して説明する。まず、本発明の歯科用インプラントの埋入方法を適用することが可能な歯科用インプラント（以下「インプラント」と省略する場合もある）１０の構成例を、図１を参照して説明する。図１には、インプラント１０の構成例を示す説明図が図示されている。
【００１７】
図１に示すように、インプラント１０は、フィクスチャー１１、アバットメント１５、アバットメントねじ１６および人工歯冠１７により構成されている。インプラント１０は、図４を参照して説明したように、歯槽骨２に固定される歯科用の補綴物である。
【００１８】
フィクスチャー１１は、歯根の代替部材であり、インプラント体や人工歯根と呼ばれる場合もある。典型的には、チタンやチタンを主成分とするチタン合金により構成されている。フィクスチャー１１は、円柱と円錐台を組み合わせた形状に形成されており、基端１１ｂおよびその付近を除いて外周壁のほぼ大半に雄ねじが螺刻されている。
【００１９】
即ち、フィクスチャー１１は、先端１１ａに向けて先細り形状になるタッピンねじ１２（雄ねじ）が基端１１ｂ等以外に形成されている。基端１１ｂには、アバットメント１５のスリップジョイント１５ｂを嵌入可能なテーパ穴１１ｃが形成されている。また、このテーパ穴１１ｃよりも先端１１ａ側には、アバットメントねじ１６の雄ねじ１６ａが螺合可能な雌ねじ穴１１ｄが形成されている。なお、フィクスチャー１１は、特許請求の範囲に記載の「埋入部」に相当し得るものである。
【００２０】
図示されていないが、基端１１ｂの付近には、タッピンねじ１２のねじ山やねじ溝よりも高さや深さが小さくピッチも狭いねじ山やねじ溝からなるマイクロスレッドが形成されている。このようなマイクロスレッドを基端１１ｂの付近に形成することにより、フィクスチャー１１と皮質骨の間におけるオッセオインテグレーションの確立を向上させたり、辺縁皮質骨に加わる物理的なストレスを軽減して骨吸収を最小限に抑えたりしている。
【００２１】
アバットメント１５は、歯の土台として機能する部材であり、一端側に人工歯冠１７を支持し得る支持部１５ａを備え、また他端側にスリップジョイント１５ｂを備えている。また、アバットメント１５の軸中心には、途中に縮径する段付き部を有する貫通穴１５ｃが形成されている。支持部１５ａは、スリップジョイント１５ｂから離れるに従って徐々に径が小さくなる円錐台形状に形成されている。アバットメント１５は、例えば、チタンやジルコニア等により構成されている。
【００２２】
アバットメントねじ１６は、アバットメント１５の貫通穴１５ｃに収容されてフィクスチャー１１の雌ねじ穴１１ｄに螺合可能な雄ねじ部１６ａを先端に有するボルトであり、例えば、チタンやセラミック等により構成されている。フィクスチャー１１に取り付けられたアバットメント１５の貫通穴１５ｃにアバットメントねじ１６を挿入してその雄ねじ部１６ａをフィクスチャー１１の雌ねじ穴１１ｄにねじ締結する。
【００２３】
これにより、アバットメントねじ１６の締め付けが進むに従って、貫通穴１５ｃの段付き部に係合するねじ頭がアバットメント１５をフィクスチャー１１側に加圧することにより、フィクスチャー１１のテーパ穴１１ｃにアバットメント１５のスリップジョイント１５ｂが楔のように嵌入して両者が強固に固定される。
【００２４】
人工歯冠１７は、歯冠の代替部材であり、インプラントクラウンや上部構造と呼ばれる場合もある。例えば、ジルコニア等を主成分とするセラミックにより構成されている。人工歯冠１７は、その凹部１７ａにアバットメント１５の支持部１５ａに接着剤等を用いて固定されている。
【００２５】
このように構成されるインプラント１０は、歯槽骨２の埋入窩７にフィクスチャー１１がセルフタッピングで螺入されるが、その際にフィクスチャー１１のタッピンねじ１２やマイクロスレッドに潤滑剤３０が塗布される。潤滑剤３０は、例えば、オリーブオイルや保湿用ジェルである。図１において灰色の着色部分が潤滑剤３０であるが、タッピンねじ１２のほぼ全体に塗布されているため、同図ではその一部が図示されていることに注意されたい。なお、潤滑剤３０は、少なくともタッピンねじ１２の部分に塗布されていればよく、マイクロスレッドの部分を含めフィクスチャー１１の他の部分にも塗布してもよい。つまり、フィクスチャー１１の全体に潤滑剤３０を塗布してもよい。
【００２６】
オリーブオイル（オリーブ油）は、オレイン酸含有オイルの一例であり、オリーブの果実から得られる植物油である。オレイン酸の含有率が高いものがよい。オレイン酸は、酸化され難い性質を持ち、また形成蛋白（ＢＭＰ；Bone Morphogenetic Protein）の骨芽細胞への分化誘導作用を増強させ得る機能を有するからである。そのため、例えば、オレイン酸の含有率がオリーブオイルよりも高いハイオレイック（高オレイン酸）タイプの紅花オイル（紅花油）やヒマワリオイル（ヒマワリ油）を、オレイン酸含有オイルとして潤滑剤３０に用いてもよい。
【００２７】
また、保湿用ジェルは、例えば、口腔用ジェルとして入手が容易なものであり、ジグリセリン（湿潤剤）を主成分として、溶剤としての精製水、粘結剤、防腐剤等が含まれるジェル状組成物である。このように保湿ジェルは、粘結剤を含有するため、オリーブオイルや紅花オイル等に比べて粘度が高い。そのため、フィクスチャー１１のタッピンねじ１２のねじ山１２ａ同士の間（つまりねじ溝１２ｂ）に保持され易く垂れ難い。保湿用ジェルは、半流動体状（ゼリー状）になり得る程度の粘度を持つため、１回分の塗布量として、ひと塊を作り易く、スポイドやピペットを用いることなく量的な管理が可能である点で、液体状のオリーブオイル等に比べて取り扱い易い。
【００２８】
このようにタッピンねじ１２等に塗布される潤滑剤３０がフィクスチャー１１の埋入トルクを低減させていることを確認するために本願発明者が行った実験について図２および図３を参照しながら説明する。図２には、ボーンフェイクブロック２０（歯槽骨２の代替物）に形成される埋入窩２７の例を示す説明図が図示されている。図３には、これから説明する各実験１〜３で計測したフィクスチャー１１の埋入状態のイメージを示す説明図が図示されている。
【００２９】
ボーンフェイクブロック２０は、インプラント埋入練習に用いられる樹脂製のトレーニングブロックであり、株式会社歯愛メディカルの骨質分類Ｄ３を使用した。骨質分類は、1999年にアメリカのCarl Mischが客観的な骨質診断として、ＣＴ値（単位HU）を利用した分類法である。骨質分類はＤ１〜Ｄ５まである。例えば、Ｄ１は1250HU以上、Ｄ２は850HU以上1250HU未満、Ｄ３は350HU以上850HU未満、Ｄ４は150HU以上350HU未満、Ｄ５は150HU未満である。なお、ＣＴ値は、ＣＴ（Computed Tomography：コンピュータ断層撮影法）で得られる画像の白黒の濃淡値（画像濃度値）のことであり、水のＣＴ値０HUを基準に空気のＣＴ値を最低値-1000HUで表現する。
【００３０】
ボーンフェイクブロック２０は、例えば、皮質骨相当部２３と海面骨相当部２５を備えている。ボーンフェイクブロック２０に形成する埋入窩２７は、例えば、コントラアングルハンドピース（歯科用ハンドピース）を用いて、ドリル径やドリルの種類を次のように矢印方向順に変更してドリリングした。
1.9mm  →  2.5mm/3.1mm  →  3.1mm/3.7mm  →  Ｂ3.7mm/4.2mm  →  Ｖ3.7mm
【００３１】
なお、上記のαmm/βmmは、先端側αと基端側βにおいて直径が異なる形成窩をドリリング可能なドリル径を意味している（図２(A)参照）。またドリル径の前に「Ｂ」の文字が付されているものは、皮質骨や皮質骨相当部２３に形成窩（歯頭部２７ａ）を設ける場合に用いられるドリルのものを意味している（図２(B)参照）。同様にドリル径の前に「Ｖ」の文字が付されているものは、海面骨や海面骨相当部２５に形成窩を設ける場合に根尖部２７ｃだけを穿つときに用られるドリルのものを意味している（図２(C)参照）。
【００３２】
今回の実験でフィクスチャー１１を埋入した埋入窩２７の内径は、図２(D)に示すように、歯頭部２７ａの範囲（符号γ）が4.2mm、歯頭部２７ａ以外の範囲（符号β）が3.7mmにそれぞれ設定されている。なお、今回の実験では使用していないが、ドリル径の前に「Ａ」の文字が付されるものとして、皮質骨や皮質骨相当部２３が２mmを超える場合に用いられるものや、海面骨や海面骨相当部２５のほぼ全体に形成窩を設ける場合に用いられる「Ｘ」の文字がドリル径の前に付されるもの等、様々なものがある。
【００３３】
このようにボーンフェイクブロック２０に形成した埋入窩２７に対し、直径4.2mm、全長13mmのフィクスチャー１１（Dentsply IH社製、OsseoSpeed（登録商標） EV4.2S13mm）を埋入した。ボーンフェイクブロック２０は所定場所に固定された状態で保持されている。なお、サンプル数は５である（サンプル１〜５）。
【００３４】
まず実験１においては、埋入に際しインプランター（Ｗ＆Ｈ社製、Implantmed（登録商標））を使用し、(1)潤滑剤３０を使用しない場合、(2)潤滑剤３０に生理食塩水を使用した場合、(3)潤滑剤３０に白色ワセリンを使用した場合、(4)潤滑剤３０に保湿ジェルを使用した場合、(5)潤滑剤３０にオリーブオイルを使用した場合、のそれぞれについて埋入トルク20Ｎcmでフィクスチャー１１を埋入窩２７にセルフタッピングで螺入し、フィクスチャー１１の埋入深度（括弧内は突出量）を計測等した。実験１の結果は、次表１の通りである。
【００３５】
なお、実験で使用したフィクスチャー１１は、その全長が13mmであることから、図３に示すように、埋入トルク20Ｎcmでは埋入することのできなかったフィクスチャー１１の突出量（ボーンフェイクブロック２０から出ているフィクスチャー１１の未埋入部の長さ）Ｌａを計測した後、全長（＝Ｌａ＋Ｌｂ）から突出量Ｌａを減算することにより埋入深度Ｌｂを算出した。
【００３６】
【表１】
2019146747.tif 000003
【００３７】
また、実験２においては、歯科用インプラント手術向け微小トルク値測定器（京都機械工具株式会社製、newton-1（登録商標））を使用して、上記の直径4.2mm、全長13mmのフィクスチャー１１が完全に埋入されるのに要する埋入トルクを計測した。実験２の結果は、次表２の通りである。
【００３８】
【表２】
2019146747.tif 000004
【００３９】
さらに、実験２により埋入されたフィクスチャー１１を埋入窩２７から取り出した後、フィクスチャー１１のセルフタッピングにより埋入窩２７に形成された雌ねじに対して、再度、フィクスチャー１１を螺合させて同フィクスチャー１１が完全に埋入されるために要する埋入トルク（再埋入トルク）を計測した（実験３）。実験３の結果は、次表３の通りである。なお、表４は、実験２の埋入トルクの計測値と実験３の再埋入トルクの計測値とを比較したものである（実験２→実験３）。
【００４０】
【表３】
2019146747.tif 000005
【００４１】
【表４】
2019146747.tif 000006
【００４２】
上記実験１では、サンプル１〜５の平均値として、フィクスチャー１１の埋入深度（または突出量）は次に示す結果になった。
(1-1)潤滑剤３０を使用しない場合：              埋入深度 8.36mm（突出量4.64mm）
(1-2)潤滑剤３０に生理食塩水を使用した場合：    埋入深度 8.80mm（突出量4.20mm）
(1-3)潤滑剤３０に白色ワセリンを使用した場合：  埋入深度11.92mm（突出量1.08mm）
(1-4)潤滑剤３０に保湿ジェルを使用した場合：    埋入深度10.49mm（突出量2.51mm）
(1-5)潤滑剤３０にオリーブオイルを使用した場合：埋入深度12.15mm（突出量0.85mm）
【００４３】
また上記実験２では、サンプル１〜５の平均値として、フィクスチャー１１の埋入トルクは次に示す結果になった。
(2-1)潤滑剤３０を使用しない場合：              埋入トルク52.06Ｎcm
(2-2)潤滑剤３０に生理食塩水を使用した場合：    埋入トルク43.90Ｎcm
(2-3)潤滑剤３０に白色ワセリンを使用した場合：  埋入トルク34.68Ｎcm
(2-4)潤滑剤３０に保湿ジェルを使用した場合：    埋入トルク37.46Ｎcm
(2-5)潤滑剤３０にオリーブオイルを使用した場合：埋入トルク29.22Ｎcm
【００４４】
さらに上記実験３では、サンプル１〜５の平均値として、フィクスチャー１１の再埋入トルクは次に示す結果になった。
(3-1)潤滑剤３０を使用しない場合：              再埋入トルク27.14Ｎcm
(3-2)潤滑剤３０に生理食塩水を使用した場合：    再埋入トルク21.94Ｎcm
(3-3)潤滑剤３０に白色ワセリンを使用した場合：  再埋入トルク16.14Ｎcm
(3-4)潤滑剤３０に保湿ジェルを使用した場合：    再埋入トルク15.30Ｎcm
(3-5)潤滑剤３０にオリーブオイルを使用した場合：再埋入トルク16.72Ｎcm
【００４５】
上記実験１〜３から、潤滑剤３０を使用しない場合には、40Ｎcmを超えて50Ｎcm以上（52.06Ｎcm）に達しているフィクスチャー１１の埋入トルクが、潤滑剤３０にオリーブオイルを使用した場合には最も低減されて40Ｎcm未満（29.22Ｎcm）になることが確認された。また、潤滑剤３０に保湿ジェルを使用した場合においても、潤滑剤３０を使用しない場合の52.06Ｎcmに比べてフィクスチャー１１の埋入トルクが14.6Ｎcm低減されて40Ｎcm未満（37.46Ｎcm）になることが確認された。なお、潤滑剤３０に白色ワセリンを使用した場合には、潤滑剤３０を使用しない場合に比べてフィクスチャー１１の埋入トルクが17.38Ｎcm低減されて40Ｎcm未満（34.68Ｎcm）になることが確認された。また、潤滑剤３０に生理食塩水を使用しても、埋入トルクは40Ｎcmを超える（43.90Ｎcm）ことが確認された。
【００４６】
以上説明したように、本実施形態のフィクスチャー１１の埋入方法によると、フィクスチャー１１のタッピンねじ１２等にオリーブオイル等の潤滑剤３０が塗布された後、フィクスチャー１１が埋入窩７にセルフタッピングで螺入される。これにより、埋入窩７の内周壁７ａとタッピンねじ１２のねじ山１２ａやねじ溝１２ｂとの間に潤滑剤３０が介在するため、両者間に生じ得る摩擦抵抗をこのような潤滑剤３０が小さくする。したがって、フィクスチャー１１のタッピンねじ１２に潤滑剤３０が塗布されない場合に比べて、フィクスチャー１１の埋入トルクを40Ｎcm未満に低減させることが可能になる。
【００４７】
なお、上述した実施形態においては、フィクスチャー１１のタッピンねじ１２等にオリーブオイル等の潤滑剤３０を塗布する場合について説明したが、例えば、歯槽骨２の埋入窩７に潤滑剤３０を注入してもよい。即ち、歯槽骨２の埋入窩７にオリーブオイルや保湿ジェル等の潤滑剤３０が注入された後、フィクスチャー１１が埋入窩７にセルフタッピングで螺入される。これにより、埋入窩７の内周壁７ａとタッピンねじ１２のねじ山１２ａやねじ溝１２ｂとの間に潤滑剤３０が介在するため、両者間に生じ得る摩擦抵抗をこのような潤滑剤３０が小さくする。したがって、埋入窩７に潤滑剤３０を注入した場合であっても、フィクスチャー１１のタッピンねじ１２に潤滑剤３０が塗布されない場合に比べて、フィクスチャー１１の埋入トルクを40Ｎcm未満に低減させることが可能になる。
【００４８】
また、潤滑剤３０がオレイン酸含有オイル、例えばオリーブオイルである場合には、オリーブオイルにオレイン酸が大量に含まれていることから、埋入窩７とフィクスチャー１１のタッピンねじ１２の間にオリーブオイルが介在してフィクスチャー１１の埋入トルクの低減に寄与した後においては、潤滑剤３０であるオリーブオイルに含まれるオレイン酸が、骨形成蛋白（ＢＭＰ；Bone Morphogenetic Protein）の骨芽細胞への分化誘導作用を増強させ得る。したがって、潤滑剤３０がオリーブオイルであることによって、埋入後の初期段階におけるオッセオインテグレーションの確立をより効果的に促進させることができる。
【００４９】
オレイン酸は、不飽和脂肪酸であることからオレイン酸自体が酸化され難く、また炭素元素数が６以上の高級脂肪酸でもあることから、抗菌作用も有する。そのため、歯槽骨２の埋入窩７とフィクスチャー１１の間において細菌の増殖を抑制することもできる。またオリーブオイルが、エクストラバージンオイル（エクストラバージンオリーブオイル）である場合には、抗酸化作用を有するポリフェノールを多量に含有する。そのため、酸化ストレスによる骨芽細胞や骨形成細胞等の細胞傷害を軽減することが可能になるので、埋入後の初期段階のオッセオインテグレーションの確立をさらに効果的に促進させることができる。
【００５０】
さらに、潤滑剤３０がジグリセリンを主成分とするジェル状組成物である場合には、ジェル状組成物は一般的にオレイン酸含有オイル等のオイルに比べて粘度が高く、またジグリセリンを主成分とするジェル状組成物は保湿剤として入手が容易である。これにより、タッピンねじ１２に潤滑剤３０を塗布する場合には、潤滑剤３０であるジェル状組成物はオリーブオイルに比べてタッピンねじ１２に保持され易く、また垂れ難いため潤滑剤３０の塗布量も管理し易いというメリットがある。なお、潤滑剤３０がジグリセリンを主成分とするジェル状組成物である場合においても、埋入トルクを40Ｎcm未満に低減させ得ることが本願発明者の実験により確認されている。また、潤滑剤３０は、ジグリセリン以外に、グリセリンやワセリン等を主成分とするジェル状組成物であってもよい。
【００５１】
また、上述した実施形態においては、インプラント１０として、フィクスチャー１１とアバットメント１５が別個に構成される２ピースタイプのものを例示して説明したが、本発明の歯科用インプラントの埋入方法は、フィクスチャーとアバットメント等が一体に構成される１ピースタイプのインプラントにも適用することが可能である。１ピースタイプの場合には、フィクスチャーとアバットメント等を一体にしたもののうち、タッピンねじが形成される埋入部にオリーブオイルや保湿ジェル（ジグリセリン、グリセリンやワセリン等を主成分とするジェル状組成物）が塗布されて当該埋入部が埋入窩にセルフタッピングで螺入される。
【００５２】
以上、本発明の具体例を詳細に説明したが、これらは例示に過ぎず、特許請求の範囲を限定するものではない。特許請求の範囲に記載の技術には、上述した具体例を様々に変形または変更したものが含まれる。また、本明細書または図面に説明した技術要素は、単独であるいは各種の組合せによって技術的有用性を発揮するものであり、出願時の請求項に記載の組合せに限定されるものではない。さらに、本明細書または図面に例示した技術は、複数の目的を同時に達成するものであり、そのうちの一つの目的を達成すること自体で技術的有用性を持つ。なお、[符号の説明]の欄における括弧内の記載は、上述した各実施形態で用いた用語と、特許請求の範囲に記載の用語との対応関係を明示し得るものである。
【符号の説明】
【００５３】
２…歯槽骨
７…埋入窩
９…歯肉
１０…インプラント（歯科用インプラント）
１１…フィクスチャー（埋入部）
１２…タッピンねじ
１５…アバットメント
１６…アバットメントねじ
１７…人工歯冠
２０…ボーンフェイクブロック
２３…皮質骨相当部
２５…海面骨相当部
２７…埋入窩
３０…潤滑剤
【図１】
2019146747.tif 000007
【図２】
2019146747.tif 000008
【図３】
2019146747.tif 000009
【図４】
2019146747.tif 000010